(57)【要約】【課題】  乾式のシール材を用いて壁パネルの下端と床パンの壁載置部の上面との間を防水でき、しかも乾式のシール材を充分に圧縮した状態にできるユニットバスルームにおける壁パネルの立設構造を提供する。【解決手段】  床パン１の外縁部に壁載置部４を形成する。壁載置部４の外縁から立ち上げ片部７を立ち上げる。立ち上げ片部７に押さえ具１１の固着部１７を固着する。固着部１７から室内側に向けて突出した押さえ部１８と壁載置部４との間に壁パネル２の表面板３２の下端から室外側に向けて突出した下突片部４４を室内側から挿入する。下突片部４４と壁載置部４との間に乾式のシール材４９を配置する。下突片部４４の上面を押さえ部１８の下面に圧接する。シール材４９の下面を壁載置部４の上面に圧接し且つ上面を下突片部４４の下面に圧接する。【選択図】        図１
2006152574.tif 000002
【特許請求の範囲】
【請求項１】
床パンの外縁部に壁載置部を形成すると共に該壁載置部の外縁から立ち上げ片部を立ち上げ、該立ち上げ片部に押さえ具の固着部を固着し、該固着部から室内側に向けて突出した押さえ部と前記壁載置部との間に壁パネルの表面部を構成する表面板の下端から室外側に向けて突出した下突片部を室内側から挿入すると共に、該下突片部と前記壁載置部との間に乾式のシール材を配置し、前記下突片部の上面を押さえ部の下面に圧接すると共に、前記シール材の下面を壁載置部の上面に圧接し且つ上面を下突片部の下面に圧接したことを特徴とするユニットバスルームにおける壁パネルの立設構造。
【請求項２】
上記押さえ具は床パンの外縁に沿う方向において長い部材であって、該押さえ具の押さえ部の室内側の部分の下面を下突片部の上面が当接する下突片部当接部とし、該押さえ具の前記下突片部当接部よりも室外側に位置する部分に下突片部当接部よりも下方に突出する下向き突部を押さえ具の長さ方向の全長に亘って形成し、該下向き突部の下面を床パンの壁載置部の上面に当接したことを特徴とする請求項１に記載のユニットバスルームにおける壁パネルの立設構造。
【請求項３】
上記固着部をその室外側の面を立ち上げ片部の室内側の面に沿わせた状態で立ち上げ片部に固着し、該固着部の少なくとも室外側の端部の下面と壁載置部の上面との間、及び上記押さえ部の室内側の面と表面板の裏面との間に、隙間を形成したことを特徴とする請求項１又は請求項２に記載のユニットバスルームにおける壁パネルの立設構造。
【請求項４】
上記押さえ具を床パンの外縁に沿って並べて配置した長尺な押さえ具本体と、隣合う押さえ具本体の長手方向の端部同士を連結する連結部材とで構成し、連結部材の一方の押さえ具本体側を向く面と他方の押さえ具本体側を向く面とに嵌め込み突部を突設し、前記各押さえ具本体の長手方向の全長に亘って孔又は溝で構成された被嵌め込み部を形成し、連結部材の一方の嵌め込み突部を前記一方の押さえ具本体の被嵌め込み部の長手方向の端部に嵌め込むと共に他方の嵌め込み突部を前記他方の押さえ具本体の被嵌め込み部の長手方向の端部に嵌め込んで、隣合う押さえ具本体を連結部材にて連結したことを特徴とする請求項１〜３のいずれかに記載のユニットバスルームにおける壁パネルの立設構造。
【請求項５】
上記連結部材の一方の押さえ具本体側を向く面と他方の押さえ具本体側を向く面とにパッキンを設け、該パッキンを介して連結部材の押さえ具本体側を向く面と押さえ具本体の側端面とを突き合わせたことを特徴とする請求項４に記載のユニットバスルームにおける壁パネルの立設構造。
【請求項６】
上記連結部材にジョイナー取付け部を設け、該ジョイナー取付け部にパネルジョイナーの下端部を取付け、該パネルジョイナーにて上記床パンの壁載置部上にシール材を介して立設した隣合う壁パネルの側端部同士を連結したことを特徴とする請求項４又は請求項５に記載のユニットバスルームにおける壁パネルの立設構造。
【請求項７】
上記壁パネルの表面板の裏面に補強部材を設け、該補強部材の下端面と下突片部の上面との間に押さえ具の押さえ部を配設し、該押さえ部の上面と補強部材の下面との間に、上下長さが壁載置部の上面から下突片部の下面までの距離よりも短い隙間を形成し、前記押さえ部の上面に壁載置部と下突片部の間にシール材を配設していない状態において前記補強部材を載置するための仮置き部を形成したことを特徴とする請求項１〜６のいずれかに記載のユニットバスルームにおける壁パネルの立設構造。
【発明の詳細な説明】
【技術分野】
【０００１】
本発明は床パンの壁載置部の上面と該壁載置部上に立設した壁パネルの下端面との間から漏水することを防止できるユニットバスルームにおける壁パネルの立設構造に関する。
【背景技術】
【０００２】
従来からユニットバスルームの壁パネルを床パンの外縁部に形成した壁載置部に建て込むにあたっては、壁パネルを床パンの外縁部に形成した壁載置部に直接載置していた。このように壁パネルを床パンの壁載置部に直接載置したものにあっては、壁パネルの下端と床パンの壁載置部の上面との間から浴室内の水が侵入して壁パネルの裏側に漏れ出し、延いては床パンの外側に漏れ出す恐れがあり、このため従来では前記床パンの壁載置部と壁パネルとで形成される室内側の角部にシリコン等の湿式のシール材をコーティングして防水処理していた。しかしこのように湿式の防水加工を施す場合には、シール材の塗布が面倒で時間がかかり、また塗布したシール材が固化するまでに時間がかかるため、施工作業が非常に面倒であると共に施工時間が長くなってしまう。
【０００３】
また従来、壁パネルの表面部を構成する表面板の下端から室内側に向けて突出した下突片部を合成樹脂発泡体等からなる乾式のシール材を介して床パンの壁載置部に載置したものがあり、このものは壁パネルの重みで圧縮状態とした乾式のシール材により防水加工を施すことができ、前述した従来の問題点を改善している（例えば特許文献１）。
【０００４】
しかし上記特許文献１に示す従来例にあっては、壁パネル自体の重みのみにより下突片部でシール材を下方に押さえ付けているため、シール材が充分に圧縮されず、シール材による防水性が低いという問題がある。また重量が異なる複数の壁パネルを弾性変形するシール材を介して床パンの壁載置部に立設した場合には、各壁パネルの下方に位置するシール材の圧縮状態が均一ではなく、この点でも防水性が低く、またこの場合、各壁パネルの上下方向の相対位置がずれてしまうという問題も生じる。
【特許文献１】特開平０８−２８４４４５号公報
【発明の開示】
【発明が解決しようとする課題】
【０００５】
本発明は上記従来の問題点に鑑みて発明したものであって、乾式のシール材を用いて壁パネルの下端と床パンの壁載置部の上面との間を防水することができて施工時間を短縮でき且つ施工作業を容易にできるのは勿論、加えて前記乾式のシール材を充分に圧縮した状態にできて、乾式のシール材による防水性を向上でき、また重量の異なる壁パネルを立設した場合にも、シール材の圧縮状態を均一にできて、防水性を一層高めることができ、且つ壁パネルの上下方向の相対位置を揃えることができるユニットバスルームにおける壁パネルの立設構造を提供することを課題とする。
【課題を解決するための手段】
【０００６】
上記課題を解決するために本発明に係るユニットバスルームにおける壁パネル２の立設構造は、床パン１の外縁部に壁載置部４を形成すると共に該壁載置部４の外縁から立ち上げ片部７を立ち上げ、該立ち上げ片部７に押さえ具１１の固着部１７を固着し、該固着部１７から室内側に向けて突出した押さえ部１８と前記壁載置部４との間に壁パネル２の表面部を構成する表面板３２の下端から室外側に向けて突出した下突片部４４を室内側から挿入すると共に、該下突片部４４と前記壁載置部４との間に乾式のシール材４９を配置し、前記下突片部４４の上面を押さえ部１８の下面に圧接すると共に、前記シール材４９の下面を壁載置部４の上面に圧接し且つ上面を下突片部４４の下面に圧接したことを特徴とする。このように壁パネル２の下突片部４４を乾式のシール材４９を介して床パン１の壁載置部４に載置しているので、湿式の防水加工を施すことなく壁パネル２の下端と床パン１の壁載置部４との間を防水することができるのは勿論、加えて壁パネル２の下突片部４４を床パン１の立ち上げ片部７に固着した押さえ具１１の押さえ部１８により下方に向けて押さえ付けることができ、これにより床パン１の壁載置部４と壁パネル２の下突片部４４との間に配した乾式のシール材４９を充分に圧縮することができて、前記乾式のシール材４９による防水効果を高めることができる。また壁パネル２の下突片部４４は押さえ具１１の押さえ部１８により上下方向に位置決めされるので、シール材４９の圧縮状態を均一にできて、防水性を一層高めることができ、且つ複数の壁パネル２の上下方向の相対位置を揃えることができる。
【０００７】
また上記押さえ具１１は床パン１の外縁に沿う方向において長い部材であって、該押さえ具１１の押さえ部１８の室内側の部分の下面を下突片部４４の上面が当接する下突片部当接部２０とし、該押さえ具１１の前記下突片部当接部２０よりも室外側に位置する部分に下突片部当接部２０よりも下方に突出する下向き突部２１を押さえ具１１の長さ方向の全長に亘って形成し、該下向き突部２１の下面を床パン１の壁載置部４の上面に当接することも好ましい。このように押さえ具１１の長さ方向の全長に亘る下向き突部２１の下面を床パン１の壁載置部４の上面に当接することで、仮に浴室内の水が床パン１の壁載置部４と壁パネル２の下突片部４４との間から室外側に流出したとしても、下向き突部２１によりこれ以上室外側に水が流出することを防止でき、防水性を一層高められる。また押さえ具１１の下向き突部２１の下面を床パン１の壁載置部４の上面に載置することで、押さえ具１１を床パン１の立ち上げ片部７に固着する際に押さえ具１１を上下方向における所定位置に正確に位置決めすることができ、これにより押さえ部１８を上下方向の所定位置に正確に位置決めすることができ、延いては壁パネル２の下突片部４４を上下方向の所定位置に正確に位置決めすることができる。
【０００８】
また上記固着部１７をその室外側の面を立ち上げ片部７の室内側の面に沿わせた状態で立ち上げ片部７に固着し、該固着部１７の少なくとも室外側の端部の下面と壁載置部４の上面との間、及び上記押さえ部１８の室内側の面と表面板３２の裏面との間に、隙間２３、４６を形成することも好ましい。押さえ具１１と床パン１の立ち上げ片部７との間、押さえ具１１の押さえ部１８と表面板３２の裏面との間、の夫々から毛細管現象により水が上昇して外部に漏れ出すことを防止でき、防水性を一層高められる。
【０００９】
また上記押さえ具１１を床パン１の外縁に沿って並べて配置した長尺な押さえ具本体１３と、隣合う押さえ具本体１３の長手方向の端部同士を連結する連結部材１２とで構成し、連結部材１２の一方の押さえ具本体１３側を向く面と他方の押さえ具本体１３側を向く面とに嵌め込み突部２９を突設し、前記各押さえ具本体１３の長手方向の全長に亘って孔又は溝で構成された被嵌め込み部２５を形成し、連結部材１２の一方の嵌め込み突部２９を前記一方の押さえ具本体１３の被嵌め込み部２５の長手方向の端部に嵌め込むと共に他方の嵌め込み突部２９を前記他方の押さえ具本体１３の被嵌め込み部２５の長手方向の端部に嵌め込んで、隣合う押さえ具本体１３を連結部材１２にて連結することも好ましい。複数の押さえ具本体１３と連結部材１２との連結を解除して別々に搬送することができ、これにより床パン１の外縁に沿って長い押さえ具１１の搬送が容易になり、且つ狭い空間において押さえ具１１を配設する際の施工性も向上する。またこの押さえ具本体１３には連結部材１２の嵌め込み突部２９が嵌め込まれる被嵌め込み部２５として孔又は溝からなる被嵌め込み部２５を長手方向の全長に亘って設けているので、押さえ具本体１３を軽量化できて押さえ具１１の搬送が容易となり、さらには押さえ具本体１３を製造コストの低い押出形材により形成することができる。
【００１０】
また上記連結部材１２の一方の押さえ具本体１３側を向く面と他方の押さえ具本体１３側を向く面とにパッキン６２を設け、該パッキン６２を介して連結部材１２の押さえ具本体１３側を向く面と押さえ具本体１３の側端面とを突き合わせることも好ましい。連結部材１２と押さえ具本体１３との間から室外側に水が流出することを防止でき、防水性を一層高められ、しかも押さえ具本体１３の寸法誤差や、施工のばらつき等による寸法誤差を吸収できる。
【００１１】
また上記連結部材１２にジョイナー取付け部２８を設け、該ジョイナー取付け部２８にパネルジョイナー３１を取付け、該パネルジョイナー３１にて上記床パン１の壁載置部４上にシール材４９を介して立設した隣合う壁パネル２の側端部同士を連結することも好ましい。押さえ具本体１３を連結する連結部材１２をパネルジョイナー３１を立設するための部材として兼用できてコストを削減できる。
【００１２】
また上記壁パネル２の表面板３２の裏面に補強部材４１を設け、該補強部材４１の下端面と下突片部４４の上面との間に押さえ具１１の押さえ部１８を配設し、該押さえ部１８の上面と補強部材４１の下面との間に、上下長さが壁載置部４の上面から下突片部４４の下面までの距離よりも短い隙間４７を形成し、前記押さえ部１８の上面に壁載置部４と下突片部４４の間にシール材４９を配設していない状態において前記補強部材４１の下面を載置するための仮置き部１９を形成することも好ましい。壁パネル２の施工完了前にあって床パン１の壁載置部４と壁パネル２の下突片部４４との間に未だシール材４９を配設していない状態において、壁パネル２の補強部材４１を押さえ具１１の仮置き部１９に載置して壁パネル２を保持することができ、且つこの状態で床パン１の壁載置部４の上面と壁パネル２の下突片部４４の下面との間にシール材挿入用の隙間５２を形成することができ、これにより作業者は壁パネル２を保持することなく隙間５２にシール材４９を容易に打ち込むことができる。
【発明の効果】
【００１３】
本発明では、乾式のシール材を用いて壁パネルの下端と床パンの壁載置部の上面との間を防水することができて施工時間を短縮でき且つ施工作業を容易にできるのは勿論、加えて前記乾式のシール材を均一且つ充分に圧縮した状態にできて、乾式のシール材による防水性を向上でき、しかも複数の壁パネルの上下方向の相対位置を揃えることができる。
【発明を実施するための最良の形態】
【００１４】
以下、本発明を添付図面に示す実施形態に基づいて説明する。図２に示すユニットバスルームは、床パン１と、床パン１の外縁部に立設した複数枚の壁パネル２と、これら壁パネル２で形成された上開口を閉塞する複数枚の天井パネル３とで主体が構成されている。
【００１５】
浴室の床を形成する床パン１はＦＲＰ成形品からなる。床パン１の外周縁部のうち周方向の一部を除いた外縁部には図３に示すように横片状の壁載置部４を全長に亘って形成している。壁載置部４は床パン１の底面部５の外縁から上方に向けて立ち上げた縦片部６の上端から室外側に向けて一体に突出してあり、床パン１の底面部５よりも一段高くなっている。またこのフランジ状に形成された壁載置部４の外縁には全長に亘って立ち上げ片部７を立ち上げている。本例の床パン１は、図２に示すように浴槽８が載置される平面視矩形状の浴槽側床パン９と、該浴槽側床パン９に隣接して浴室における洗い場を形成する平面視矩形状の洗い場側床パン１０とで構成してあり、該床パン１には洗い場側床パン１０の出入口側の一辺１０ａを除く浴室の床全体の外縁を構成する部分に壁載置部４を連続して設けている。なお図示は省略するが洗い場側床パン１０の出入口側の一辺１０ａには浴室の出入口を形成する出入口用壁パネルが立設されているものとする。
【００１６】
床パン１の壁載置部４上には押さえ具１１を載置してあり、該押さえ具１１は壁載置部４の床パン１の外縁に沿う方向における全長に亘っている。
【００１７】
図１に示すように押さえ具１１は室外側の端部に固着部１７を有し、該固着部１７は押さえ具１１の長さ方向の全長に亘って設けられている。固着部１７の上部には固着具挿通用孔１４を室内外方向に貫設してあり、該固着具挿通用孔１４は押さえ具１１の床パン１の外縁に沿う方向における複数箇所に設けられている（図２参照）。各固着具挿通用孔１４には螺子からなる固着具１５を室内側から挿通してあり、各固着具１５の先端側を立ち上げ片部７に打入することで、押さえ具１１の固着部１７は室外側の面を立ち上げ片部７の室内側の面に沿わせた状態でパッキン又はシリコン等からなる水密材１６を介して立ち上げ片部７に固着されている。また固着部１７の下端面は全部が壁載置部４の上面よりも上方に位置しており、これにより固着部１７の下端面と壁載置部４の室外側の端部の上面との間に５〜１０ｍｍ程度の隙間２３を形成している。
【００１８】
固着部１７の下部からは室内側に向けて一体に突出する押さえ部１８を押さえ具１１の長さ方向における全長に亘って設けている。ここで押さえ部１８の室内側の部分の上面を仮置き部１９とすると共に、該押さえ部１８の室内側の部分の下面を下突片部当接部２０とすると、押さえ部１８の下突片部当接部２０よりも室外側に位置する部分には下突片部当接部２０よりも下方に突出する下向き突部２１を形成してあり、該下向き突部２１の下面は壁載置部４の上面に直接当接している。また押さえ部１８の固着部１７よりも下方に突出した部分の室外側の面２２は、立ち上げ片部７よりも室内側に位置している。
【００１９】
本例の押さえ具１１は図２に示す床パン１の外縁に沿って並べて配置した複数の押さえ具本体１３と、隣合う押さえ具本体１３の長手方向の端部同士を連結する連結部材１２とで構成されている。
【００２０】
押さえ具本体１３は縦断面で前述した押さえ具１１と同じ外面形状を有するものであるので、押さえ具１１と同様に構成される部分については同じ符号を付して説明を省略する。押さえ具本体１３は樹脂押出成形品やアルミ押出形材等からなる平面視直線状の長尺な部材であって、長手方向（床パン１の外縁に沿う方向）の全長に亘って縦断面の外面形状が同一の部材である。押さえ具本体１３の長手方向の全長に亘る固着部１７には図１に示すように前述の固着具挿通用孔１４を設けてあり、つまり押さえ具本体１３の長手方向の全長に亘る固着部１７が固着具１５により床パン１の立ち上げ片部７に固着されている。また押さえ具本体１３の押さえ部１８には押さえ具本体１３の長手方向の全長に亘って孔又は溝（図示例では円孔）で構成された被嵌め込み部２５を形成してある。
【００２１】
上記押さえ具本体１３の長手方向の端部同士を連結する連結部材１２としては、図２に示すように床パン１の壁載置部４の平面視における各コーナー部４ａ上に載置されて、平面視で直角となるように隣合う押さえ具本体１３の端部同士を連結するコーナー用連結部材１２ａと、壁載置部４の平面視直線状部分の長手方向における適宜箇所に載置されて、平面視で直線状となるように隣合う押さえ具本体１３の端部同士を連結する直線部用連結部材１２ｂとの２種類を用いている。
【００２２】
図４及び図５に示す連結部材１２ａ、１２ｂは縦断面で押さえ具１１と同じ外面形状を有するもので、以下では押さえ具１１と同様に構成される部分については同じ符号を付して説明を省略する。また両連結部材１２ａ、１２ｂはコーナー用連結部材１２ａが平面視で略Ｌ字状の部材であるのに対して、直線部用連結部材１２ｂが押さえ具本体１３と比して短尺なブロック状の部材であることが異なるのみで基本的構成は同じであるので、以下では特に記載がない限りコーナー用連結部材１２ａ及び直線部用連結部材１２ｂを共に連結部材１２として説明する。
【００２３】
連結部材１２は樹脂射出成形品からなり、連結部材１２の床パン１の外縁に沿う方向における全長に亘って設けた固着部１７には固着具挿通用孔１４を設けておらず、該固着部１７は立ち上げ片部７の室内側の面に水密材１６を介して当接している。また被嵌め込み部２５は設けていない。また連結部材１２の押さえ部１８の床パン１の外縁に沿う方向における両側の面（即ち一方の押さえ具本体１３側を向く面と他方の押さえ具本体１３側を向く面）には外側方に向けて円柱状の嵌め込み突部２９を突設してあり、平面視で隣合う押さえ具本体１３のうち一方の押さえ具本体１３の被嵌め込み部２５の長手方向における端部に一方の嵌め込み突部２９を嵌め込むと共に、他方の押さえ具本体１３の被嵌め込み部２５の長手方向における端部に他方の嵌め込み突部２９を嵌め込むことで、隣合う押さえ具本体１３の端部同士を連結している。
【００２４】
上記押さえ具１１を床パン１の壁載置部４上に載設するにあたっては種々の手順が考えられるが、例えば以下のようにして押さえ具本体１３及び連結部材１２を床パン１の壁載置部４に載設する。
【００２５】
まず図２に示す床パン１の壁載置部４のコーナー部４ａ上にコーナー用連結部材１２ａを載置する。次に図４に示すコーナー用連結部材１２ａの一方の嵌め込み突部２９側の側面に押さえ具本体１３の一方の側端面を突き合わせ、且つ該コーナー用連結部材１２ａの前記一方の嵌め込み突部２９を押さえ具本体１３の被嵌め込み部２５に嵌め込んで、前記コーナー用連結部材１２ａに押さえ具本体１３の一端部を連結する。またこれと同時に図１に示すように押さえ具本体１３を下向き突部２１の下面を床パン１の壁載置部４に当接して壁載置部４上に載置する。この後、前記押さえ具本体１３の固着部１７を床パン１の立ち上げ片部７に沿わせた状態で固着具１５により床パン１の立ち上げ片部７に固着する。この際押さえ具本体１３の下向き突部２１の下面は前述したように床パン１の壁載置部４に当接しているので、押さえ具本体１３の押さえ部１８を上下方向の所定位置に容易に位置決めできる。そして以下上記と同様にして全ての押さえ具本体１３及び連結部材１２を連結し、しかして押さえ具１１は床パン１の壁載置部４に載設されることとなる。
【００２６】
このように本例では押さえ具１１を床パン１の外縁に沿って並べて配置した長尺な押さえ具本体１３と、隣合う押さえ具本体１３の長手方向の端部同士を連結する連結部材１２とで構成してあるので、複数の押さえ具本体１３と連結部材１２との連結を解除して別々に搬送することができ、床パン１の外縁に沿って長い押さえ具１１の搬送が容易になり、且つ狭い施工空間における押さえ具１１の施工性も向上する。またこの押さえ具本体１３には連結部材１２の嵌め込み突部２９が嵌め込まれる被嵌め込み部２５として孔又は溝からなる被嵌め込み部２５を長手方向の全長に亘って設けているので、押さえ具本体１３を軽量化できて押さえ具１１の搬送が容易となり、さらには押さえ具本体１３を製造コストの低い押出形材により形成することができる。
【００２７】
上記押さえ具１１の連結部材１２にあっては図４及び図５に示すように床パン１の外縁に沿う方向における全長に亘って設けた押さえ部１８の中間部に室内側に向けて開口する溝２６を上下方向の全長に亘って形成している。さらに連結部材１２の押さえ部１８の上面には固着部１７の室内側に位置して固着部１７と所定間隔を介して対向する突状部２７を上方に向けて突設している。そして前記突状部２７及び該突状部２７と固着部１７の間に形成された上方に開口する溝３０とでジョイナー取付け部２８を形成してあり、各連結部材１２のジョイナー取付け部２８には隣合う壁パネル２の側端部同士を連結する柱状のパネルジョイナー３１の下端部を取り付けている。
【００２８】
各連結部材１２上に立設されたパネルジョイナー３１には図４及び図６に示すコーナー用連結部材１２ａ上に立設されたコーナー用パネルジョイナー３１ａと、図５及び図７に示す直線部用連結部材１２ｂ上に立設された直線部用パネルジョイナー３１ｂとがある。両パネルジョイナー３１ａ、３１ｂは、コーナー用パネルジョイナー３１ａが水平断面略Ｃ字状であるのに対して直線部用パネルジョイナー３１ｂが水平断面略コ字状である点が異なるのみで基本的構成は同じであるので、以下では特に記載がない限りコーナー用パネルジョイナー３１ａ及び直線部用パネルジョイナー３１ｂを共にパネルジョイナー３１として説明する。
【００２９】
パネルジョイナー３１は上下長さが壁パネル２の上下長さと略同じである（詳しくは後述する表面板３２の上下長さよりもやや短い）リップ片付き溝形鋼からなり、室内側に向けて開口する溝３３を上下方向の全長に亘って形成してある。該溝３３は対応する連結部材１２の溝２６と上下に連続している。パネルジョイナー３１の室外側の面部３５（背面部）の下端部は連結部材１２の溝３０に上方から嵌め込まれており、またパネルジョイナー３１の溝３３内の下端部の室外側の部分には連結部材１２の突状部２７が嵌め込まれており、これによりパネルジョイナー３１の下端部がジョイナー取付け部２８に取り付けられている。このように本例では押さえ具１１の各連結部材１２にパネルジョイナー３１を取付け、該ジョイナー取付け部２８にパネルジョイナー３１の下端部を取付けてあるので、押さえ具本体１３を連結する連結部材１２をパネルジョイナー３１を立設するための部材として兼用できてコストを削減できる。
【００３０】
上記パネルジョイナー３１の溝３３の開口を形成する両リップ片３７、３７は図６及び図７に示すようにパネルジィナー３１の内側において折り返されて被係止部３８を形成している。ここで上記各パネルジョイナー３１の上端にはパネルジョイナー３１の上端開口を閉塞するキャップ３９（図４及び図５参照）が取付けられている。
【００３１】
図１等に示すように上記隣合うパネルジョイナー３１間に立設される各壁パネル２は、室内側の表面部を構成する化粧鋼板からなる表面板３２と、該表面板３２の裏面に裏打ちした石膏ボードやケイ酸カルシウム板等からなる補強部材４１（図１参照）とで構成されている。表面板３２はその室内側の面が室内外方向において床パン１の縦片部６の室内側の面と同じ位置にあり、図４〜７に示すように表面板３２の両側端には表面板３２の側端を室外側に折曲した後その先端を内側において折り返して成る係止部４２を上下方向の全長に亘って形成している。各係止部４２はその下端部を除いてパネルジョイナー３１の溝３３内で被係止部３８に係止してあり、また各係止部４２の下端部は連結部材１２の溝２６の開口縁に係止してある。
【００３２】
また表面板３２の上下両端には室外側に向けて横片状の上突片部４３及び下突片部４４の夫々を一体に突設してあり、本例の上突片部４３及び下突片部４４はともに表面板３２の上端又は下端を室外側に向けてＬ字状に折曲して形成されている。図４及び図５に示すように上突片部４３は表面板３２の両側端部を除いた部分の全長に亘って設けてあり、該上突片部４３と両係止部４２との間にはパネルジョイナー３１のリップ片３７が嵌め込まれている。
【００３３】
また上記表面板３２の下突片部４４は表面板３２の幅方向における全長に亘って設けられており、図１に示すように下突片部４４の突出長さは押さえ部１８の下向き突部２１よりも室内側に突出した部分の突出長さよりも長くなっている。該下突片部４４は、床パン１の壁載置部４の上面と、押さえ具１１の押さえ部１８（詳しくは各壁パネル２の下方に位置する押さえ具本体１３の押さえ部１８及び該押さえ具本体１３の両端に連結された連結部材１２の押さえ部１８）と、の間に挿入されている。
【００３４】
補強部材４１の下端面と下突片部４４の上面の間には隙間４５が形成されており、該隙間４５には押さえ具１１の押さえ部１８の下向き突部２１よりも室内側に突出する部分が挿入されている。また補強部材４１の下端面と押さえ具本体１３の仮置き部１９の間には上下長さが壁載置部４の上面から下突片部４４の下面までの距離よりも短い隙間４７を形成している。
【００３５】
上記壁パネル２の下突片部４４の下面と床パン１の壁載置部４の上面との間には隙間４８を形成してあり、該隙間４８には床パン１の外縁に沿う方向における全長に亘って乾式のシール材４９を配設している。シール材４９は弾性変形可能な軟質樹脂からなり、図８に示すように縦断面形状が室外側の先端から室外側に行く程幅広となる略楔形状に形成されている。またシール材４９の上下両面には室外側の先端を含む浴室内外方向における複数箇所に室内側に傾斜した斜め上方又は斜め下方に向けて複数の弾性ひれ片部５０を一体に突設してあり、シール材４９の室外側の先端部は矢じり形状に形成されている。そして図１に示すように壁パネル２の下突片部４４の下面は押さえ具１１の押さえ部１８の下突片部当接部２０に圧接してあり、これにより上記シール材４９は圧縮されて、その下面が壁載置部４の上面に圧接し且つ上面は下突片部４４の下面に圧接している。
【００３６】
このように床パン１の立ち上げ片部７に固着した押さえ具１１の押さえ部１８により壁パネル２の下突片部４４を下方に向けて押さえ付けることで、床パン１の壁載置部４と壁パネル２の下突片部４４との間に配した乾式のシール材４９を充分に圧縮することができ、これによりシール材４９による防水効果を高めることができる。また壁パネル２の下突片部４４は押さえ具１１の押さえ部１８により上下方向に位置決めされるので、シール材４９の圧縮状態を均一にできて、防水性を一層高めることができ、またこの場合、壁パネル２の上下方向の相対位置を揃えることもできる。さらに本例では押さえ具１１を構成する全ての押さえ具本体１３と連結部材１２の夫々に、床パン１の外縁に沿う方向における全長に亘って下方に突出する下向き突部２１を形成することで、押さえ具１１の長さ方向における全長に亘って下向き突部２１を形成し、この押さえ具１１の長さ方向における全長に亘る下向き突部２１の下面を床パン１の壁載置部４の上面に載置してあるので、仮に浴室内の水が床パン１の壁載置部４と壁パネル２の下突片部４４との間から室外側に流出したとしても、下向き突部２１によりこれ以上室外側に水が流出することを防止できる。
【００３７】
また上記押さえ具１１の押さえ部１８の室内側の面と壁パネル２の表面板３２の裏面との間には隙間４６を形成してあり、また前述したように押さえ具１１の室外側の端部に形成した固着部１７の下端面の全部と床パン１の壁載置部４の室外側の端部の上面との間にも隙間２３を形成しているので、押さえ具１１の押さえ部１８と表面板３２の裏面との間、及び押さえ具１１と床パン１の立ち上げ片部７との間、の夫々から毛細管現象により水が上昇して室外側に水が流出することを防止できる。
【００３８】
そして図６及び図７に示すように同一パネルジョイナー３１の溝３３内に挿入された隣接する壁パネル２の係止部４２間には上下方向全長に亘ってシール材としての役割を果たす乾式の目地材５１を室外側から打ち込んであり、これにより各壁パネル２は完全に固定された状態で床パン１の壁載置部４に立設されいる。そしてこのように立設された複数枚の壁パネル２上に前述した天井パネル３を載設することでユニットバスルームは形成されている。
【００３９】
次に上記ユニットバスルームの組み立てにつき説明する。ユニットバスルームを組み立てるには、まず図２に示す床パン１を設置し、この後、前述したように床パン１の壁載置部４上に押さえ具１１を載設する。
【００４０】
次に押さえ具１１の各連結部材１２上にパネルジョイナー３１を立設すると共に、各パネルジョイナー３１にて隣合う壁パネル２の両側端部同士を連結する。この施工はまず図４のようにコーナー用連結部材１２ａのジョイナー取付け部２８にコーナー用パネルジョイナー３１ａの下端部を取付けて、該コーナー用連結部材１２ａ上にコーナー用パネルジョイナー３１ａを立設する。この後図４に示すコーナー用パネルジョイナー３１ａの溝３３内及び該コーナー用パネルジョイナー３１ａを取付けたコーナー用連結部材１２ａの溝２６内に図６に示すように壁パネル２の一方の係止部４２を挿入して、該係止部４２を前記コーナー用パネルジョイナー３１ａの一方の被係止部３８及びコーナー用連結部材１２ａの溝２６の開口縁に係止する。また同時に図８に示すように壁パネル２の補強部材４１を押さえ具本体１３の仮置き部１９に載置すると共に、下突片部４４を押さえ具本体１３の下突片部当接部２０と床パン１の壁載置部４との間に挿入する。この後、図５に示す上記コーナー用連結部材１２ａの隣の直線部用連結部材１２ｂのジョイナー取付け部２８に直線部用パネルジョイナー３１ｂの下端部を取付けて、該直線部用連結部材１２ｂ上に直線部用パネルジョイナー３１ｂを立設する。この後、図７のように前記直線部用パネルジョイナー３１ｂの溝３３内及び該直線部用パネルジョイナー３１ｂを取付けた直線部用連結部材１２ｂの溝２６内に前記壁パネル２の他方の係止部４２を挿入して、該係止部４２を前記直線部用パネルジョイナー３１ｂの他方の被係止部３８及び直線部用連結部材１２ｂの溝２６の開口縁に係止する。この時図８に示すように押さえ具本体１３の下突片部当接部２０と壁パネル２の下突片部４４との間には、施工完了時における補強部材４１の下端面と押さえ具本体１３の仮置き部１９との間に形成される隙間４７（図１参照）と略同じ上下長さとなったシール材挿入用の隙間５２が形成される。そして以下上記一連の作業を繰返して、全ての壁パネル２をパネルジョイナー３１にて連結し、しかしてパネルジョイナー３１の立設及び隣合う壁パネル２同士の連結が完了する。
【００４１】
次に上記各パネルジョイナー３１の上端にキャップ３９を取り付けた後、図８に示すように各壁パネル２の下突片部４４と床パン１の壁載置部４との間に形成された隙間５２に室内側からシール材４９を打ち込む。この際各壁パネル２は前述したように補強部材４１を押さえ具１１の仮置き部１９に載置することで前記隙間５２を形成した状態で保持されているため、作業者は壁パネル２を保持する必要がない。またシール材４９の先端部は矢じり形状に形成されているため前記隙間５２へのシール材４９の打ち込みが容易となっている。またシール材４９は縦断面が楔形状に形成されているため、シール材４９を強固に床パン１の壁載置部４と壁パネル２の下突片部４４との間に固定できるようになっている。なお本例ではシール材４９を下突片部４４及び壁載置部４と別体とし、下突片部４４と壁載置部４の間に打ち込んで圧入するものとしたが、シール材４９を下突片部４４の下面に予め貼着してあっても良く、この場合は壁パネル２の下突片部４４及びシール材４９を押さえ具１１の押さえ部１８の下突片部当接部２０と壁載置部４との間に同時に圧入するものとする。
【００４２】
上記シール材４９の打ち込みにより、壁パネル２の下突片部４４はその上面が押さえ具１１の下突片部当接部２０に当接するまで押し上げられ、これに伴い壁パネル２全体も若干上昇し、これにより図１に示すように補強部材４１の下端面と押さえ具本体１３の仮置き部１９の間に前記隙間４７が形成され、しかして各壁パネル２の下突片部４４はシール材４９を介して床パン１の壁載置部４上に載置されることとなる。
【００４３】
次に図６及び図７に示すように各パネルジョイナー３１の溝３３内に挿入された隣接する壁パネル２の係止部４２間に目地材５１を打ち込んで各壁パネル２を固定し、この後、各壁パネル２上に複数の天井パネル３を載設する。しかしてユニットバスルームの施工が完了する。
【００４４】
また上記壁パネル２の立設構造にあっては、図９及び図１０に示すように押さえ具１１の下向き突部２１の下面及び押さえ具１１の仮置き部１９の夫々に水密材５３を設けることも好ましい。図示例では押さえ具本体１３の下向き突部２１の下面の全部及び仮置き部１９の全部に水密材５３を設けた例を示している。水密材５３としては、前記下向き突部２１の下面及び仮置き部１９に接着した軟質系樹脂からなるパッキンであっても良いし、また前記下向き突部２１の下面及び仮置き部１９に二色成形により一体に成形した軟質系樹脂であっても良い。このように押さえ具１１の下向き突部２１の下面及び仮置き部１９に水密材５３を設けることで、補強部材４１の下端面と仮置き部１９との間の隙間４７を埋めるように水密材５３を配設すると共に、下向き突部２１の下面と壁載置部４の上面との間を埋めるように水密材５３を配設して、これらの間から室外側に水が漏れ出すことを防止できる。なお図９では押さえ具本体１３の下向き突部２１の下面及び仮置き部１９に水密材５３を設けた例を示してあるが、連結部材１２の下向き突部２１の下面の全部及び仮置き部１９の全部に設けてあっても良く、また押さえ具１１の下向き突部２１の床パン１の外縁に沿う方向における全長に亘って設けてあっても良い。
【００４５】
また図１１に示すように上記押さえ具１１の外面部を撥水性を有する材質にて形成することが好ましい。図示例では押さえ具本体１３の外面部を撥水性の高い材質にて形成した例を示してあり、具体的には押さえ部１８の室内側の面及び室外側の面及び下面と、固着部１７の下端面及び室外側の面の全部にテフロン（登録商標）等の撥水性材料５４をコーティングしてある。このように押さえ具１１の外面部を撥水性の高い材質にて形成することで、押さえ具１１自体に水が浸透することを防止できる。なお図１１では押さえ部１８の室内側の面部及び室外側の面部及び下面部と、固着部１７の下端面部及び室外側の面部を撥水性を有する材質にて形成したが、押さえ具本体１３の外面部の全部を撥水性を有する材質にて形成しても良い。また上記では押さえ具１１の外面に撥水性材料５４をコーティングした例を示したが、押さえ具１１の原料となる合成樹脂に撥水性材料を含有しても良い。さらには上記では押さえ具本体１３の外面部を撥水性を有する材質にて形成したが、連結部材１２（コーナー用連結部材１２ａ、直線部用連結部材１２ｂ、後述する中間部用連結部材１２ｃ）の外面部を撥水性を有する材質にて形成しても良く、また押さえ具１１の長さ方向における全長に亘る外面部を撥水性を有する材質にて形成しても良い。
【００４６】
また図１２〜１４に示すように床パン１の底面部５の外縁から立ち上げた縦片部６及び壁載置部４で構成された部分の床パン１の外縁に沿う方向における一部を室外側の斜め下方に向けて突曲して、室外側の端から室内側に行くほど下方に傾斜した傾斜溝部５９を形成し、傾斜溝部５９の上開口の室外側の端部を前述した隙間２３に連通する流入口５６とし、且つ傾斜溝部５９の室内側の開口を床パン１の底面部５上に連通する流出口５７とし、これにより一端に前記流入口５６を有し且つ他端に前記流出口５７を有する排水路５８を設けることも好ましい。即ちこの場合、排水路５８の両側面部及び底面部を傾斜溝部５９で構成し、上面部を押さえ具１１の下向き突部２１の下面で構成している。このような排水路５８を設けることで、押さえ具本体１３の固着部１７の下端面と壁載置部４の室外側の端部の上面との間に形成された隙間と、連結部材１２の固着部１７の下端面と壁載置部４の室外側の端部の上面との間の隙間と、で構成された閉じられた空間となる隙間２３に流入した水を、排水路５８を介して床パン１の底面部５上に排出することができる。なお図示例では浴槽側床パン９に前記排水路５８を設け、該排水路５８から浴槽側床パン９の底面部上に排出された水を浴槽側床パン９の底面部に形成した排水口６１から排水できるようにしたが、洗い場側床パン１０に前記排水路５８を設け、該排水路５８から洗い場側床パン１０の底面部上に排出された水を洗い場側床パン１０の底面部に形成した排水口（図示せず）から排水できるようにしても構わない。また図示例では床パン１の外周全長に亘って壁載置部４を設け、押さえ具１１を前記壁載置部４の床パン１の外縁に沿う方向における全長に亘るものとした例を示してあるが、本例を図１の実施例に適用しても良いことは勿論である。
【００４７】
また図１５のように直線部用連結部材１２ｂとして、前述の直線部用連結部材１２ｂ（以下ジョイナー取付け用連結部材１２ｂという）と、壁パネル２の幅方向（床パン１の外縁に沿う方向）における中間部の下方に配置されて前記ジョイナー取付け用連結部材１２ｂ間に位置し、隣合う押さえ具本体１３の端部同士を連結する中間部用連結部材１２ｃとの２種類の直線部用連結部材１２ｂを用い、各壁パネル２の下方に複数本の押さえ具本体１３を床パン１の外縁に沿って直線状に並べて配設し、この各壁パネル２の下方に配置された隣合う押さえ具本体１３の端部同士を前記中間部用連結部材１２ｃにて連結することも好ましい。なお中間部用連結部材１２ｃの基本的構成はジョイナー取付け用連結部材１２ｂと同じであって、前述したジョイナー取付け用連結部材１２ｂと構成上異なる点はジョイナー取付け部２８を構成する突状部２７及び溝３０と溝２６を設けていない点であり、ジョイナー取付け用連結部材１２ｂと同様に構成される部分については同じ符号を付して説明を省略する。このように各壁パネル２の下方に配置された隣合う押さえ具本体１３の端部同士を中間部用連結部材１２ｃにて連結することで、押さえ具１１の搬送及び施工を一層容易にできる。また壁パネル２には床パン１の大きさ等に対応できるように幅方向（床パン１の外縁に沿う方向）の長さが異なる複数種類の壁パネル２があり、押さえ具本体１３をその長さが複数種類ある壁パネル２の幅方向の長さと略同じとなるように対応して形成した場合には、押さえ具本体１３のコストが高くなるという問題が生じるが、上記したように１枚の壁パネル２の下方に配置された隣合う押さえ具本体１３の端部同士を中間部用連結部材１２ｃにて連結することで、例えば表１に示すように長さが短い少種類の押さえ具本体１３（表１では長さが４００ｍｍの押さえ具本体１３と、長さが３００ｍｍの押さえ具本体１３との２種類）を適宜選択して連結し、幅方向のサイズが異なる複数種類の壁パネル２に対応することができ、これにより押さえ具本体１３のコストを削減できる。
【００４８】
【表１】
2006152574.tif 000003
【００４９】
また図１６に示すように上記連結部材１２の一方の押さえ具本体１３側を向く面と他方の押さえ具本体１３側を向く面とにエラストマー等からなるパッキン６２を設け、該パッキン６２を介して連結部材１２の押さえ具本体１３側を向く面と押さえ具本体１３の側端面とを突き合わせることも好ましい。これにより連結部材１２と押さえ具本体１３との間から室外側に水が流出することを防止でき、しかも押さえ具本体１３の寸法誤差や、施工のばらつき等を吸収できる。なお図示例では中間部用連結部材１２ｃの両側面にパッキン６２を設けた例を示したが、コーナー用連結部材１２ａの床パン１の外縁に沿う方向における両側の面や、ジョイナー取付け用連結部材１２ｂの両側面にパッキン６２を設けても良く、また全ての連結部材１２の床パン１の外縁に沿う方向における両側の面にパッキン６２を設けても良い。
【００５０】
また押さえ具１１としては図１７に示す押さえ具１１を用いても良い。図に示す押さえ具１１は縦断面Ｌ字状の部材であって、縦片部を固着部１７とし、横片部を押さえ部１８としている。押さえ部１８には下向き突部２１を設けていない。また押さえ部１８の下面の全部と壁載置部４の上面との間には隙間が形成されており、即ち本例の押さえ具１１にあっても固着部１７の下端面と壁載置部４の上面との間に隙間２３が形成されている。このように押さえ具１１として縦断面Ｌ字状の部材を用いることで、押さえ具１１のコストを削減できる。
【００５１】
また以上説明してきた実施例におけるシール材４９は各壁パネル２の幅方向と同じ長さのものとし、対応する壁パネル２の下突片部４４の下方に配置しても良いし、また床パン１の各辺と同じ長さのシール材４９を対応する床パン１の辺毎に別個に設けてあっても良いが、シール材４９を壁載置部４の床パン１の外縁に沿う方向における全長と略同じ長さのものとし、該シール材４９を床パン１の壁載置部４を形成した辺の全てに亘って配設することが好ましい。具体的には本例のシール材４９は長さ方向における複数箇所において浴室内外方向における一部である連結部を残して切れ目を入れ、前記連結部を屈曲点として、前記切れ目により形成された両切断面の成す角が平面視で直角となるように広げて屈曲させたものであり、平面視において前記切れ目により形成された直角な両切断面間にコーナー用連結部材１２ａの入隅部から室外側に向けて突出する挟込部を挟み込んでいる。このようにシール材４９を床パン１の壁載置部４を形成した辺の全てに亘って一体に連続したものとすることで、シール材４９の継ぎ目がなくて防水性が向上し、また意匠性が向上する。
【図面の簡単な説明】
【００５２】
【図１】本発明の実施の形態の一例を示す縦断面図である。
【図２】同上のユニットバスルームの分解斜視図である。
【図３】同上の床パンの外縁部分の拡大縦断面図である。
【図４】同上の浴室のコーナー部における要部分解斜視図である。
【図５】同上の浴室の一辺を構成する直線部における要部分解斜視図である。
【図６】同上のコーナー用パネルジョイナーと壁パネルとの連結を示す水平断面図である。
【図７】同上の直線部用パネルジョイナーと壁パネルとの連結を示す水平断面図である。
【図８】同上のシール材を壁パネルの下突片部と床パンの壁載置部との間に打ち込む前の状態を示す縦断面図である。
【図９】本発明の実施の形態の他例を示す縦断面図である。
【図１０】同上の押さえ具本体の斜視図である。
【図１１】本発明の実施の形態の更に他例を示す押さえ具本体の斜視図である。
【図１２】本発明の実施の形態の更に他例を示す縦断面図である。
【図１３】同上の床パンの要部拡大斜視図である。
【図１４】同上の床パンの平面図である。
【図１５】本発明の実施の形態の更に他例を示し、図は要部拡大分解斜視図である。
【図１６】本発明の実施の形態の更に他例を示し、図は中間部用連結部材の斜視図である。
【図１７】本発明の実施の形態の更に他例を示す縦断面図である。
【符号の説明】
【００５３】
１  床パン
２  壁パネル
４  壁載置部
７  立ち上げ片部
１１  押さえ具
１２  連結部材
１３  押さえ具本体
１７  固着部
１８  押さえ部
１９  仮置き部
２０  下突片部当接部
２１  突部
２３  隙間
２５  被嵌め込み部
２８  ジョイナー取付け部
２９  嵌め込み突部
３１  パネルジョイナー
３２  表面板
４１  補強部材
４４  下突片部
４６  隙間
４７  隙間
４９  シール材
５２  隙間
６２  パッキン
【図１】
2006152574.tif 000004
【図２】
2006152574.tif 000005
【図３】
2006152574.tif 000006
【図４】
2006152574.tif 000007
【図５】
2006152574.tif 000008
【図６】
2006152574.tif 000009
【図７】
2006152574.tif 000010
【図８】
2006152574.tif 000011
【図９】
2006152574.tif 000012
【図１０】
2006152574.tif 000013
【図１１】
2006152574.tif 000014
【図１２】
2006152574.tif 000015
【図１３】
2006152574.tif 000016
【図１４】
2006152574.tif 000017
【図１５】
2006152574.tif 000018
【図１６】
2006152574.tif 000019
【図１７】
2006152574.tif 000020